(57)【特許請求の範囲】
【請求項１】
履物（１０）のかかと（１１）を構成する甲皮に内設する履物用かかと補助具（１）であって、
平面視でかかと（１１）と同じ弧状に形成され、履物の靴底（１２）に下端が結合される硬質合成樹脂製の支持部材（２）と、
前記支持部材（２）の上端部（３）に結合され、かかと（１１）の上部を自然に起立させるように軟質合成樹脂から形成された弧状のテンション起立部（４）と、
を備え、
前記テンション起立部（４）は、上端を足が入る前方にやや曲げて形成され、
前記テンション起立部（４）および該テンション起立部（４）を外包する前記かかと（１１）の上部のみが前記履物（１０）に入る足による押圧で一旦前方に折り曲げられ、
該履物（１０）に足が完全に入ると、折り曲げられた該テンション起立部（４）および該テンション起立部（４）を外包する該かかと（１１）の上部が自然に起立することを特徴とする履物用かかと補助具。
【請求項２】
前記支持部材（２）の上端部（３）とテンション起立部（４）の下端には、対応する斜め結合部（３ａ、４ａ）を形成し、これらの斜め結合部（３ａ、４ａ）を突き合わせた状態で両部材を結合することを特徴とする請求項１に記載の履物用かかと補助具。
【発明の詳細な説明】
【技術分野】
【０００１】
本発明は履物用かかと補助具に係り、さらに詳しくは、靴、運動靴など各種の履物を靴べらなどの補助手段を使用することなく簡単に履くことができ、かかとが折り畳まれることを防ぐことができる、簡単な構成の履物用かかと補助具に関する。
【背景技術】
【０００２】
一般に、靴、運動靴などの各種の履物を履くときに、指をかかとの間に嵌め込んでかかとが折り畳まれないようにしたり、別途に携行する靴べらなどを用いたりするが、靴べらの場合、常時携行せねばならないという不都合があり、紛失の虞もあるなど多くの問題点がある。
【０００３】
一方、靴べらなどの補助手段なしに履物を履く場合、踵と接触したり折り畳まれる履物の甲皮かかと部が折り畳まれたり摩耗され、これは、見栄えを悪くするとともに、履物の寿命を短縮させる主要因となる。この理由から、業界においては、靴べらなどの補助手段なしに履物を履くことができ、しかも、甲皮かかとが折り畳まれるなどの問題点を解消することができる新規な手段が求められている。
【０００４】
上記の問題点を解消するための手段として、本発明者は、履物用かかと補助具を開発し、特許出願（１０−２００９−０００９４３１）している。
【０００５】
上記の先出願発明は、履物のかかとを構成する甲皮に内設する履物用かかと補助具であって、第一に、ばね鋼、形状記憶合金および合成樹脂よりなる群から選ばれるいずれか一種から製作され、かかとと同じ弧状に形成され、かかとの上端部に位置する係止部の両側先端から前方に向けて傾くようにテンション起立部を折り曲げて形成し、両側のテンション起立部の下端には靴底の上側に位置するように後方に支持部を折り曲げて形成している。
【０００６】
第二に、ばね鋼、形状記憶合金および合成樹脂よりなる群から選ばれるいずれか一種から製作され、平面視でかかとと同じ弧状に形成され、かかとの上端部の内側に位置する上死点の両側の下方に傾くように折り曲げて形成したテンション起立部材の両側の下端部が結合されるようにかかとの下端部に支持部材を埋め込んで形成している。
【発明の概要】
【発明が解決しようとする課題】
【０００７】
一方、本発明者は、靴べらなどの補助手段を使用することなく履物を簡単に履くことができ、しかも、甲皮かかとが折り畳まれることも防ぐことができる、簡単な構成の他の履物用かかと補助具を提供するために鋭意努力した結果、本発明に係る履物用かかと補助具を完成するに至った。
【課題を解決するための手段】
【０００８】
課題の解決手段として、本発明においては、履物を履いた状態で異物感がまったくなく、靴べらなどの補助手段なしに履物が履けるように靴底に下端が結合される硬質合成樹脂製の支持部材の上端部にかかと１１を自然に起立させるように軟質合成樹脂製の弧状のテンション起立部を結合している。
【発明の効果】
【０００９】
本発明に係る履物用かかと補助具を靴や運動靴などの履物に適用する場合、履物のかかとが折り畳まれることに起因して発生する耐久性の問題を一掃することができ、履物を履くときにかかと補助具によってかかとが起立するので、別途に靴べらなどの補助手段を携行するなどの不便さを一掃しつつも履物を容易に履くことができるという効果がある。
【００１０】
特に、子供用の履物などに適用する場合、両親が履物を履かせる煩雑さを解消することが可能になる。
【図面の簡単な説明】
【００１１】
【図１】本発明に係る履物用かかと補助具の好適な第１の実施形態を示す斜視図である。
【図２】本発明履物用かかと補助具の側断面図である。
【図３】本発明の使用状態を示す側断面図である。
【発明を実施するための形態】
【００１２】
以下、添付図面に基づき、本発明に係る履物用かかと補助具を説明する。
【００１３】
図１は、本発明に係る履物用かかと補助具の好適な第１の実施形態を示す斜視図であり、図２は、本発明履物用かかと補助具の側断面図であり、図３は、本発明の使用状態を示す側断面図である。
【００１４】
本発明は、靴、カジュアル靴、運動靴などの履物１０のかかと１１を構成する甲皮に内設されて履物１０を履くときにかかと１１が自然に屈伸されるようにした履物用かかと補助具１を提供するために講じられたものである。
【００１５】
すなわち、本発明に係る履物用かかと補助具１は、平面視でかかと１１と同じ弧状に形成され、靴底１２に下端に結合される支持部材２と、前記支持部材２の上端部３に結合され、かかと１１を自然に屈伸させる自体弾性力を有する弧状のテンション起立部４と、を備えてなる。
【００１６】
前記支持部材２は硬質合成樹脂から形成し、上端部３は水平状態に形成して軟質合成樹脂製のテンション起立部４を結合する。前記テンション起立部４は、軟質のポリウレタン、ＰＶＣなどから製造することが好ましい。
【００１７】
前記テンション起立部４は、履物１０を履くときにかかと１１が自然に折り畳まれたり伸びたりする部材であって、上端を足が入る前方にやや折り曲げて形成する。
【００１８】
前記支持部材２の上端部３とテンション起立部４は同じ厚さに形成して結合するが、支持部材２とテンション起立部４との結合は、熱接着、二重射出または接着剤を用いた接着などから選択して行う。
【００１９】
前記支持部材２の上端部３とテンション起立部４の下端には、対応する斜め結合部３ａ、４ａを形成し、これらの斜め結合部３ａ、４ａを突き合わせた状態で結合して、両部材の結合部位が平面になるようにする。
【００２０】
さらに、上述のように、斜め結合部３ａ、４ａを用いた結合方式によれば、結合面積が広がり、その結果、安定性よい結合状態が提供可能になる。
【００２１】
以上のように構成される本発明の履物用かかと補助具１は、靴、カジュアル靴、運動靴などの各種の履物１０に適用可能なものであり、本発明に係る履物用かかと補助具を適用する場合に、別途に靴べらなどの補助手段がなくても容易に履物を履くことができる。
【００２２】
すなわち、本発明に係る履物用かかと補助具が適用された履物１０に足を入れると、図３に示すように、軟質合成樹脂から形成され、上端が前方に曲がった状態のテンション起立部４が前方に曲がりつつ着靴が行われ、履物１０に足が完全に入ると、前方に曲がったテンション起立部４が自体弾性力によって元の状態に伸びる。
【００２３】
産業上の利用可能性
本発明に係る履物用かかと補助具を靴や運動靴などの履物に適用する場合、履物のかかとが折り畳まれることに起因して発生する耐久性の問題を一掃することができ、履物を履くときにかかと補助具によってかかとが起立するので、別途に靴べらなどの補助手段を携行するなどの不便さを一掃しつつも履物を容易に履くことができ、特に、子供用の履物などに適用する場合、両親が履物を履かせる煩雑さを解消することが可能になるので、産業上の利用可能性がある。
【図１】
0005552722.tif 000002
【図２】
0005552722.tif 000003
【図３】
0005552722.tif 000004